(57)【要約】【課題】中身をこぼすことなく、１つの動作でプルタブを引き起こして飲み口を開封できるプルタブオープナーを提供する。【解決手段】プルトップ缶の缶蓋と嵌合しその缶蓋に対して周方向に回転可能な円筒状のオープナー本体１０を設け、そのオープナー本体１０の小径内壁部１３ｂに螺旋状の係合案内片２０を形成する。そして、オープナー本体１０を回転させることにより、プルタブは係合案内片２０の係合始端２１から係合終端２２に到るまで係合して起立させられる。【選択図】図２
2010149905.tif 000002
【特許請求の範囲】
【請求項１】
プルトップ缶の缶蓋に設けられたステイオンタブ式のプルタブを起こすことによって、前記缶蓋に形成した飲み口を開封するプルタブオープナーであって、
プルトップ缶の上端部と嵌合し該上端部に対してプルトップ缶の周方向に回転可能な円筒部と、
前記円筒部の内壁に、奥側に向けて螺旋状に突出形成され、前記円筒部に回転により、その係合始端が前記プルタブの一部に係合し、前記回転に伴って前記プルタブと係合しながら前記係合始端からその係合終端に到るまでの間で、前記プルタブを起立させる螺旋係合部と
を有することを特徴とするプルタブオープナー。
【請求項２】
請求項１に記載のプルタブオープナーにおいて、
前記螺旋係合部は、前記係合始端と前記係合終端との間に、前記内壁から前記円筒部の中心軸線に向かって突出する突出量が、前記奥側方向に沿って徐々に増大する領域を有することを特徴とするプルタブオープナー。
【請求項３】
請求項１又は２に記載のプルタブオープナーにおいて、
前記螺旋係合部は、前記係合終端に前記円筒部の中心軸線に向かって突出する爪を形成したことを特徴とするプルタブオープナー。
【請求項４】
請求項２又は３に記載のプルタブオープナーにおいて、
前記螺旋係合部は、前記係合始端と前記係合終端との間のなす角度が９０°〜３６０°の間の所定角度に設定されていることを特徴とするプルタブオープナー。
【請求項５】
請求項４に記載のプルタブオープナーにおいて、
前記螺旋係合部は、前記係合始端と前記係合終端との間のなす角度が２２５°に設定されていることを特徴とするプルタブオープナー。
【請求項６】
請求項１乃至５のいずれか１項に記載のプルタブオープナーにおいて、
前記円筒部に上端部を塞ぐカバーを有することを特徴とするプルタブオープナー。
【請求項７】
請求項２乃至６のいずれか１項に記載のプルタブオープナーにおいて、
前記円筒部及びカバーの少なくとも一方の外面には、前記螺旋係合部の前記係合始端に対応する目印を設けたことを特徴とするプルタブオープナー。
【請求項８】
請求項１乃至７のいずれか１項に記載のプルタブオープナーにおいて、
前記円筒部は、缶本体に対する径方向のズレを規制する規制部を有することを特徴とするプルタブオープナー。
【請求項９】
プルトップ缶の缶蓋に設けられたステイオンタブ式のプルタブを起こすことによって、前記缶蓋に形成した飲み口を開封するプルタブオープナーであって、
請求項１乃至８のいずれか１項に記載の前記螺旋係合部を備えた円筒部と、
前記円筒部を、軸線方向及び周方向に移動に収容する有蓋円筒状の操作ケースと、
前記操作ケースに収容された前記円筒部の上端と前記操作ケースの奥面との間に配設され、常に前記円筒部を前記操作ケースの下端開口側に弾性力を付与するスプリングと、
前記円筒部と前記操作ケースの間に設けられ、前記円筒部が前記スプリングの弾性力に抗して前記奥面側に押圧されるとき、前記円筒部を前記周方向に回転させながら前記軸線方向に移動させる駆動手段と
を有することを特徴とするプルタブオープナー。
【発明の詳細な説明】
【技術分野】
【０００１】
本発明は、プルタブオープナーに関する。
【背景技術】
【０００２】
缶ビール、缶コーヒ等の飲料用の缶は、その缶蓋部分にプルタブが設けられている。このプルタブの先端リング部を摘んで引き起こすことで、容易に飲み口を開封することができる。ところで、このプルタブは摘み難いことから簡単な操作でプルタブを引き起こして飲み口を開封するプルタブオープナーが種々提案されている（例えば、特許文献１）。
【０００３】
この特許文献１のプルタブオープナーは、缶蓋に装着されるキャップの裏面に、片持ち状に支持された引っ掛け部材を設け、缶蓋に装着したキャップを、缶に対して缶の中心軸を回動中心に相対回転させ、その引っ掛け部材の先端部を、プルタブと缶蓋の間に滑り込ませる。そして、引っ掛け部材の先端部がプルタブと缶蓋との間に介在した状態で、キャップを缶蓋からは外すと、引っ掛け部材の先端部がプルタブの裏面と係合した状態で缶蓋から離間する方向に移動して、プルタブを引き起こすことができる。
【特許文献１】特開２００２−８７４９７号公報
【発明の開示】
【発明が解決しようとする課題】
【０００４】
しかしながら、上記プルタブオープナーは、キャップを缶に対して相対回転させて引っ掛け部材を位置決めする動作と、キャップを缶蓋から外して引っ掛け部材でプルタブを引き起こす動作の２つの動作で、飲み口を開封するようになっている。従って、飲み口を開封するのに２つの動作を必要としその操作が非常に面倒であった。
【０００５】
また、キャップを外し引っ掛け部材でプルタブを引き起こす際、キャップの基端側を支点して先端側を引き上げるため、缶を安定して把持しにくくのバランスを崩し中身をこぼすことが多々生じる虞がある。
【０００６】
本発明の目的は、中身をこぼすことなく、１つの動作でプルタブを引き起こして飲み口を開封できるプルタブオープナーを提供することにある。
【課題を解決するための手段】
【０００７】
請求項１に記載の発明は、プルトップ缶の缶蓋に設けられたステイオンタブ式のプルタブを起こすことによって、前記缶蓋に形成した飲み口を開封するプルタブオープナーであって、プルトップ缶の上端部と嵌合し該上端部に対してプルトップ缶の周方向に回転可能な円筒部と、前記円筒部の内壁に、奥側に向けて螺旋状に突出形成され、前記円筒部に回転により、その係合始端が前記プルタブの一部に係合し、前記回転に伴って前記プルタブと係合しながら前記係合始端からその係合終端に到るまでの間で、前記プルタブを起立させる螺旋係合部とを有する。
【０００８】
請求項１に記載のプルタブオープナーによれば、円筒部の内壁に螺旋状に突出形成した螺旋係合部は、円筒部の回転によりプルタブの一部に係合させてプルタブを起立させることができる。従って、回転動作という１つの動作のみでプルタブを起立させることができ、缶の缶蓋に形成した飲み口を容易に開けることができる。
【０００９】
請求項２に記載の発明は、請求項１に記載のプルタブオープナーにおいて、前記螺旋係合部は、前記係合始端と係合終端との間に、前記内壁から前記円筒部の中心軸線に向かって突出する突出量が、前記奥側方向に沿って徐々に増大する領域を有する。
【００１０】
請求項２に記載のプルタブオープナーによれば、円筒部の回転に応じて螺旋係合部の係合始端から係合終端に到るまでの間でプルタブをスムーズに起立させることができる。
請求項３に記載の発明は、請求項１又は２に記載のプルタブオープナーにおいて、前記螺旋係合部は、前記係合終端に前記円筒部の中心軸線に向かって突出する爪を形成した。
【００１１】
請求項３に記載のプルタブオープナーによれば、係合終端に設けられた爪によって、プルタブの起立姿勢を調整することができる。
請求項４に記載の発明は、請求項２又は３に記載のプルタブオープナーにおいて、前記螺旋係合部は、前記係合始端と前記係合終端との間のなす角度が９０°〜３６０°の間の所定角度に設定されている。
【００１２】
請求項４に記載のプルタブオープナーによれば、プルタブをスムーズに起立させることができる。
請求項５に記載の発明は、請求項４に記載のプルタブオープナーにおいて、前記螺旋係合部は、前記係合始端と前記係合終端との間のなす角度が２２５°に設定されている。
【００１３】
請求項６に記載の発明は、請求項１乃至５のいずれか１項に記載のプルタブオープナーにおいて、前記円筒部に上端部を塞ぐカバーを有する。
請求項６に記載のプルタブオープナーによれば、缶本体の上端部に円筒部を載置した際、カバー部により円筒部内への異物侵入を防止できる。
【００１４】
請求項７に記載の発明は、請求項２乃至６のいずれか１項に記載のプルタブオープナーにおいて、前記円筒部及びカバーの少なくとも一方の外面には、前記螺旋係合部の前記係合始端に対応する目印を設けた。
【００１５】
請求項７に記載したプルタブオープナーによれば、目印によりプルトップ缶の上端部に円筒部を嵌合する際、プルタブの位置と螺旋係合部の係合始端との回転方向に位置決めが容易となる。
【００１６】
請求項８に記載の発明は、請求項１乃至７のいずれか１項に記載のプルタブオープナーにおいて、前記円筒部は、缶本体に対する径方向のズレを規制する規制部を有する。
請求項８に記載のプルタブオープナーによれば、規制部により缶本体に対する円筒部の径は方向のズレを規制でき、螺旋係合部にプルタブを確実に係合させることができる。
【００１７】
請求項９に記載の発明は、プルトップ缶の缶蓋に設けられたステイオンタブ式のプルタブを起こすことによって、前記缶蓋に形成した飲み口を開封するプルタブオープナーであって、請求項１乃至８のいずれか１項に記載の前記螺旋係合部を備えた円筒部と、前記円筒部を、軸線方向及び周方向に移動に収容する有蓋円筒状の操作ケースと、前記操作ケースに収容された前記円筒部の上端と前記操作ケースの奥面との間に配設され、常に前記円筒部を前記操作ケースの下端開口側に弾性力を付与するスプリングと、前記円筒部と前記操作ケースの間に設けられ、前記円筒部が前記スプリングの弾性力に抗して前記奥面側に押圧されるとき、前記円筒部を前記周方向に回転させながら前記軸線方向に移動させる駆動手段とを有する。
【００１８】
請求項９に記載の装置によれば、操作ケースを移動させるだけで、内部の円筒部が回転するため、操作ケースの下降動作のみでプルタブを起立させることができ、容易に飲み口を開けることができる。
【発明の効果】
【００１９】
本発明によれば、中身をこぼすことなく、１つの動作でプルタブを引き起こして飲み口を開封ことができる。
【発明を実施するための最良の形態】
【００２０】
（第１実施形態）
以下、本発明のプルタブオープナーを具体化した第１実施形態を図面に従って説明する。
【００２１】
図１は、プルタブオープナー１を上方から見た全体斜視図であって、プルタブオープナー１は、飲料用のプルトップ缶２の缶蓋３に載置し、缶蓋３に設けたステイオンタブ式のプルタブ４を起立させ、飲み口２９（図６（ｄ）参照）を開封する。
【００２２】
プルタブオープナー１は、図２〜図４に示すように、円筒部としての円筒状のオープナー本体１０を有し、その上側開口部がカバー１１にて閉塞され、下端開口部が装着口１２となってプルトップ缶２の缶蓋３が載置される。
【００２３】
円筒状のオープナー本体１０の内周壁１３は、装着口１２側が拡開形成されその拡開された大径内壁部１３ａを形成している。そして、その大径内壁部１３ａより奥側（カバー１１の裏面側）の内周壁１３を小径内壁部１３ｂとしている。
【００２４】
ここで、大径内壁部１３ａの内径は、プルトップ缶２の缶本体の外径より大きく形成されている。小径内壁部１３ｂは、プルトップ缶２の外径より小さくかつ缶蓋３の上面３ａに設けたプルタブ４を内包できる径である。
【００２５】
オープナー本体１０の内周壁１３において、大径内壁部１３ａと小径内壁部１３ｂとの間に形成される環状の段差面１４には、規制部としての環状溝１５が形成されている。
そして、装着口１２から大径内壁部１３ａ内に、プルトップ缶２が収容されると、缶蓋３の外周に形成された環状のリップ部３ｂが環状溝１５に収容される。また、リップ部３ｂが環状溝１５に収容されることにより、環状溝１５よりもオープナー本体１０の中心軸Ｌ１側の環状の段差面１４には、缶蓋３の上面３ａが当接し、プルトップ缶２がそれ以上の奥側に貫挿されるのを規制している。
【００２６】
そして、大径内壁部１３ａ内にプルトップ缶２が収容され、缶蓋３のリップ部３ｂが環状溝１５に収容されることにより、オープナー本体１０は、プルトップ缶２に対して、前記中心軸Ｌ１を回転中心にして周方向にスムーズに回転する。
【００２７】
小径内壁部１３ｂには、螺旋係合部としての係合案内片２０が突出形成されている。係合案内片２０、小径内壁部１３ｂの下端（段差面１４とで形成される稜線）から奥側に向けて螺旋状に突出形成され、その上端はカバー１１の裏面より離間した位置にまで延びている。そして、係合案内片２０の下端を係合始端２１とし、係合案内片２０の上端を係合終端２２としている。また、係合案内片２０の奥側（カバー１１の裏面側）に面した面を傾斜面２３とし、前記中心軸Ｌ１側に面した面を案内面２４としており、傾斜面２３と案内面２４との間にはエッジ２８が形成されている。
【００２８】
本実施形態では、小径内壁部１３ｂに沿って螺旋状に形成された係合案内片２０は、図５に示すように、オープナー本体１０を平面視して、前記係合始端２１から前記係合終端２２に到るまでなす角度θ１が２２５°に設定されている。
【００２９】
また、係合案内片２０は、傾斜面２３の幅が係合始端２１から角度θ２（本実施形態では４５°）進んだ位置までは同じ幅で形成された一定幅領域Ｚ１と、その一定幅領域Ｚ１より奥側（カバー１１の裏面側）に行くほど傾斜面２３の幅が広くなる幅広領域Ｚ２を有している。従って、係合案内片２０の幅広領域Ｚ２に位置にある案内面２４は、奥側（カバー１１の裏面側）に行くほど前記中心軸Ｌ１に近づくようになる。
【００３０】
ここで、係合案内片２０の一定幅領域Ｚ１での傾斜面２３の幅は、図６（ｂ）に示すように、オープナー本体１０の装着口１２からプルトップ缶２を貫挿し、段差面１４に缶蓋３の上面３ａが当接した状態で、缶蓋３に設けたプルタブ４の先端部と交差する幅に形成されている。
【００３１】
また、係合案内片２０の一定幅領域Ｚ１での傾斜面２３の傾きは、幅広領域Ｚ２での傾斜面２３の傾きより緩やかに形成されている。
さらに、一定幅領域Ｚ１における係合案内片２０の厚みは、楔状であって係合始端２１から奥側に向かうほど厚くなり、後端は幅広領域Ｚ２における係合案内片２０の厚みと一致する。なお、幅広領域Ｚ２における係合案内片２０の厚みは、全範囲で一定の厚さで形成されている。
【００３２】
係合案内片２０の係合終端２２の案内面２４には、図５に示すように、爪２５が、前記中心軸Ｌ１に向かって突出形成されている。爪２５は、案内面２４側の側面を案内側面２５ａとし、案内面２４と連続した円弧面に形成されている。また、爪２５は、図４に示すように、その先端が先細となるように形成されている。
【００３３】
オープナー本体１０のカバー１１の外面としての上面１１ａには、図１に示すように、位置決め用目印２６が形成されている。位置決め用目印２６はプルタブの図形に形成され、オープナー本体１０を嵌合させた場合に、平面視したとき缶蓋３に取着されたプルタブ４と互いに重なるように形成されている。位置決め用目印２６の配置位置は、平面視して係合案内片２０と重ならない位置であって、係合始端２１から係合終端２２に向かって４５°に位置するように配置形成されている。
【００３４】
また、カバー１１の上面１１ａには、位置決め用目印２６と対向する位置に操作用目印２７が形成されている。操作用目印２７は、オープナー本体１０をプルトップ缶２に載置し、プルタブ４を起立させるために、オープナー本体１０の回転方向を指標する矢印の図形である。矢印図形の操作用目印２７の向きは、平面視したとき係合案内片２０の係合終端２２から係合始端２１に向かった向きと一致させている。
【００３５】
次に、上記のように構成したプルタブオープナー１の使用方法について説明する。
オープナー本体１０をプルトップ缶２に嵌合させて、缶蓋３の上面３ａとオープナー本体１０の段差面１４、即ち、係合案内片２０の一定幅領域Ｚ１の下面を当接させる。このとき、カバー１１に表示した位置決め用目印２６と缶蓋３に設けたプルタブ４とが平面視して重なり合うように位置合わせして嵌合させる。従って、係合案内片２０とプルタブ４との相対位置は、図６（ａ）に示すように、回動角度４５°離間した位置に配置される。
【００３６】
この状態から、カバー１１に表示した操作用目印２７に示す方向に、オープナー本体１０を回転させる。すると、係合案内片２０の係合始端２１は、缶蓋３の上面３ａを摺接しながらプルタブ４に近づく。やがて、係合案内片２０の係合始端２１は、缶蓋３の上面３ａとプルタブ４との間に侵入する。そして、図６（ｂ）に示すように、プルタブ４の先端部分が係合案内片２０の一定幅領域Ｚ１部分に乗り上げられ、プルタブ４が少し起立される。
【００３７】
そして、さらに、オープナー本体１０を回転させると、図６（ｃ）に示すように、係合案内片２０は、その傾斜面２３と案内面２４とで形成されるエッジ２８がプルタブ４の裏面と係合した状態で、缶蓋３の上面３ａとプルタブ４との間を通過する。
【００３８】
このとき、係合案内片２０の幅広領域Ｚ２の傾斜面２３が螺旋状に傾斜しているとともに、案内面２４（エッジ２８）が係合終端２２に向かうほど中心軸Ｌ１に側に突出しているため、エッジ２８に係合しているプルタブ４は、益々引き起こされる。やがて、係合終端２２に形成した爪２５の直近までプルタブ４が案内されると、プルタブ４は缶蓋３の上面３ａに対してほぼ直角に起立させる。この時点で、缶蓋３に形成されたスコアＳが少し破断され開口片３ｃが缶内に折り曲げ始められる。
【００３９】
この状態からオープナー本体１０をさらに回転させると、エッジ２８に係合していたプルタブ４が爪２５の先端を通過するとき、爪２５が指掛け孔に落ち込む。やがて、爪２５は、回転して指掛け孔に反対側に開口縁に引っ掛かり、今まで摺動しながら係合していたのが規制される。その結果、プルタブ４は、図６（ｄ）に示すように、指掛け孔に引っ掛けられている爪２５により、さらに引き起こされ、スコアＳが完全に破断され開口片３ｃが完全に缶内に押し込まれ、飲み口２９が開封される。
【００４０】
次に、上記のように構成した第１実施形態の効果を以下に記載する。
（１）上記実施形態によれば、プルトップ缶２の缶蓋３と嵌合しその缶蓋３に対して周方向に回転可能な円筒状のオープナー本体１０を設け、そのオープナー本体１０の小径内壁部１３ｂに螺旋状の係合案内片２０を形成した。そして、オープナー本体１０の回転により、係合案内片２０が係合始端２１から係合終端２２に到るまで前記プルタブ４と係合させて、プルタブ４を起立させるようにした。
【００４１】
従って、オープナー本体１０を回転させるという、１つの動作のみでプルタブ４を起立させことができる。
（２）しかも、上記実施形態によれば、係合案内片２０に、奥側（カバー１１の裏面側）に行くほど傾斜面２３の幅が広くなる幅広領域Ｚ２を形成し、幅広領域Ｚ２に位置にある案内面２４は、奥側（カバー１１の裏面側）に行くほど中心軸Ｌ１に近づくようした。
【００４２】
従って、プルタブ４の係合始端２１から係合終端２２に到るまでの間にスムーズに起立させることができる。
（３）上記実施形態によれば、係合案内片２０の係合終端２２に爪２５を設けた。そして、回転操作の最後で、指掛け孔を爪２５により、プルタブ４をさらに引き起すようにした。
【００４３】
従って、オープナー本体１０を回転させるという、１つの動作のみでスコアＳを完全に破断させ開口片３ｃを完全に缶内に押し込み、飲み口２９を開封させることができる。
（４）上記実施形態によれば、オープナー本体１０の内周壁１３に環状の段差面１４を形成し、その段差面１４に環状溝１５を形成した。そして、装着口１２からプルトップ缶２が嵌合されるとき、缶蓋３の外周に形成された環状のリップ部３ｂが環状溝１５に嵌合するようにした。
【００４４】
従って、オープナー本体１０をプルトップ缶２に対して回転させた時、オープナー本体１０はプルトップ缶２に対して中心軸Ｌ１を回転中心にして周方向にスムーズに回転することができる。
【００４５】
（５）上記実施形態によれば、オープナー本体１０の上側開口部にカバー１１を設けたので、プルトップ缶２の缶蓋３のオープナー本体１０を載置したとき、このカバー１１によりオープナー本体１０内への異物侵入を防止することできる。
【００４６】
（７）上記実施形態によれば、カバー１１の上面１１ａに位置決め用目印２６を形成した。従って、オープナー本体１０をプルトップ缶２に嵌合させる際の、オープナー本体１０とプルトップ缶２の位置合わせが容易に行うことができる。
【００４７】
（８）上記実施形態によれば、カバー１１の上面１１ａに操作用目印２７を形成した。従って、オープナー本体１０の回転方向を即座に認識ででき、素早く飲み口を開封することできる。
【００４８】
（９）上記実施形態によれば、係合案内片２０の一定幅領域Ｚ１は、その傾斜面２３の傾き緩やかに形成し、厚みを係合始端２１から奥側に向かうほど厚くなる楔状に形成した。従って、係合案内片２０の係合始端２１を、缶蓋３の上面３ａとプルタブ４との間にスムーズに侵入させることができる。
【００４９】
（１０）上記実施形態によれば、係合始端２１から係合終端２２に到るまでなす角度θ１を２２５°とすることにより、プルタブ４をスムーズ且つ確実に引き起こすことが可能となる。
（第２実施形態）
以下、本発明のプルタブオープナーを具体化した第２実施形態を図７及び図８に従って説明する。
【００５０】
図７は、本実施形態のプルタブオープナー１の断面図を示す。図７において、操作ケース３０は、有蓋円筒状のケースであって、その筒内には第１実施形態のオープナー本体１０が操作ケース３０の中心軸Ｌ２方向に移動かつ中心軸Ｌ２を回動中心に周方向に回転可能に収容されている。本実施形態のオープナー本体１０は、カバー１１が設けられていないことと、外周面に半球状のボール収容凹部３１が形成され点が第１実施形態と相違するだけなので、説明の便宜上、符号を同じにして各部分の詳細な説明は省略する。
【００５１】
また、有蓋円筒状の操作ケース３０は、下端開口端部の内側面が中心軸Ｌ２に向かって延出されて環状の案内壁３２が形成されている。環状の案内壁３２の内径は、装着するプルトップ缶２の外径と一致させている。
【００５２】
従って、操作ケース３０は、プルトップ缶２を下端開口端から筒内に収容し、その缶蓋３のリップ部３ｂをオープナー本体１０の段差面１４に形成した環状溝１５に収容させることができるようになっている。また、操作ケース３０内に収容されたオープナー本体１０は、その大径内壁部１３ａの開口縁が案内壁３２と係合して操作ケース３０から抜ける出ることはない。
【００５３】
操作ケース３０は、その内周面３０ａには駆動手段を構成する断面円弧状の螺旋溝３３が形成され、該螺旋溝３３には、オープナー本体１０の外周面に形成したボール収容凹部３１に嵌合された駆動手段を構成するボールＢが、嵌合して螺旋溝３３に沿って転動するようになっている。
【００５４】
このように構成することによって、操作ケース３０内に収容されたオープナー本体１０を、中心軸Ｌ２方向に力を加えると、ボール収容凹部３１に収容されたボールＢが螺旋溝３３に沿って転動することから、オープナー本体１０は、中心軸Ｌ２を回転中心に回転しながら力が加えられた方向に移動することになる。
【００５５】
そして、本実施形態では、オープナー本体１０が下方から上方に向かって力を受けたとき、オープナー本体１０の係合案内片２０がその係合終端２２から係合始端２１の方向の回転するように、螺旋溝３３の螺旋の向き設定されて操作ケース３０の内周面３０ａに形成されている。
【００５６】
操作ケース３０の奥面とオープナー本体１０の上端との間には、スプリングＳＰが配設されている。スプリングＳＰは、オープナー本体１０を下方に弾性力を付与し、案内壁３２に係合する最下位置までオープナー本体１０を押し下げることができるようになっている。そして、スプリングＳＰの弾性力に抗してオープナー本体１０を操作ケース３０に対して上方に押し上げると、図８に示すように、オープナー本体１０は、回転しながら上動しスプリングＳＰを縮設するようになっている。
【００５７】
なお、操作ケース３０の上面には、図示しないが、第１実施形態でカバー１１に形成した位置決め用目印２６及び操作用目印２７が形成されていて、操作に指標となるようにしている。
【００５８】
次に、上記のように構成したプルタブオープナー１の使用方法について説明する。
今、操作ケース３０の下端開口端から筒内にプルトップ缶２を回転不能に収容し、その缶蓋３のリップ部３ｂをオープナー本体１０の段差面１４に形成した環状溝１５に収容させる。このとき、第１実施形態と同様に、係合案内片２０とプルタブ４との相対位置は、図６（ａ）に示すように、回動角度４５°離間した位置に配置される。
【００５９】
この状態から、操作ケース３０を下方に向かって、即ち、プルトップ缶２に向かって押し付ける。これによって、その反力でプルトップ缶２は、スプリングＳＰの弾性力に抗してオープナー本体１０を上方に押し上げる。このオープナー本体１０は、この押し上げによって、回転しながら上動する。
【００６０】
オープナー本体１０が回転すると、係合案内片２０の係合始端２１は、缶蓋３の上面３ａとプルタブ４との間に侵入し、プルタブ４を少し起立させる。そして、さらに、オープナー本体１０が回転すると、プルタブ４は係合案内片２０によりさらに引き起こされ、缶蓋３の上面３ａに対してほぼ直角に起立させるとともに、缶蓋３に形成されたスコアＳが少し破断され開口片３ｃが缶内に折り曲げ始められる。
【００６１】
この状態から、操作ケース３０をさらに下方に向かって押し付け、オープナー本体１０をさらに回転させると、プルタブ４は、爪２５によりその指掛け孔が引っ掛けられ、さらに引き起こされ、スコアＳが完全に破断され開口片３ｃが完全に缶内に押し込まれ、飲み口２９が開封される。
【００６２】
次に、上記のように構成した第２実施形態の効果を以下に記載する。
（１）上記実施形態によれば、第１実施形態の（２）〜（９）の効果に加えて、操作ケース３０を下方に向かって、即ち、プルトップ缶２に向かって押し付けるという、１つの動作のみでプルタブ４を起立させことができる。
【００６３】
尚、上記実施形態は以下のように変更してもよい。
○上記第１実施形態では、オープナー本体１０の外周面には何も施すことはなかったが、その外周面を、図９に示すように、凹凸形状にして滑り止め部１０ａを設けてもよい。勿論、滑り止め用のシールを張り付けてもよい。これにより、操作性をより向上させることができる。
【００６４】
○上記第１実施形態では、係合案内片２０の係合終端２２に爪２５を設けたが、図１０に示すように、これを省略してもよい。
○上記第１実施形態では、オープナー本体１０の小径内壁部１３ｂに係合案内片２０を１つ設けたが、図１１に示すように、２つの係合案内片２０を左右対称に小径内壁部１３ｂに設けてもよい。これによって、オープナー本体１０をどちらの方向に回転させても、プルタブ４を起立させることができる。
【００６５】
○上記第１実施形態では、カバー１１に位置決め用目印２６と操作用目印２７の２つの目印を設けたが、これを２つ全て又はいずれか１つを省略して実施してもよい。
○上記実施形態では、カバー１１に位置決め用目印２６と操作用目印２７の２つの目印を設けたが、これをオープナー本体１０の外周面に形成して実施してもよい。
【００６６】
○上記第１実施形態では、係合案内片２０の一定幅領域Ｚ１と幅広領域Ｚ２の２つの領域を設け、それぞれその傾斜面２３の傾斜角度を異ならせたが、これを一定幅領域Ｚ１と幅広領域Ｚ２の傾斜面２３とも一様にしてもよい。又、一定幅領域Ｚ１と幅広領域Ｚ２の傾斜面２３を連続する傾斜面にして、その傾斜角度を位置に応じて変化させるように実施してもよい。
【００６７】
○上記第１実施形態では、係合案内片２０の一定幅領域Ｚ１の中心軸Ｌ１側への突出量を一様にしたが、これを幅広領域Ｚ２のように、連続的に変化させて実施してもよい。
○上記第１実施形態では、小径内壁部１３ｂに沿って螺旋状に形成された係合案内片２０は、オープナー本体１０を平面視して、係合始端２１前記係合終端２２に到るまでなす角度θ１を２２５°に設定したが、角度θ１を９０°〜３６０°で適宜変更して実施してもよい。角度θ１が小さくなればなるほど、少ない回転でプルタブ４を起立させることができる反面、傾斜面２３の傾斜角度が大きくなるため、大きな力が必要になる。また、角度θ１をある程度小さくすると、図１１に示すように、２つの係合案内片２０を形成することができる。
【００６８】
○上記第１実施形態では、円筒状のオープナー本体１０にカバー１１を設けたプルタブオープナー１であったが、図１２に示すように、このカバー１１を省略したオープナー本体１０に係合案内片２０を備えたプルタブオープナー１に具体化してもよい。
【図面の簡単な説明】
【００６９】
【図１】第１実施形態のプルタブオープナーとプルトップ缶との斜視図。
【図２】プルタブオープナーの断面斜視図。
【図３】同じくプルタブオープナーの断面斜視図。
【図４】同じくプルタブオープナーの断面斜視図。
【図５】プルタブオープナーの平断面図。
【図６】（ａ）プルタブオープナーとプルタブとの位置関係を示す図、（ｂ）、（ｃ）、（ｄ）プルタブオープナーとプルタブが係合する状態を示す図。
【図７】第２実施形態のプルタブオープナーの側断面図。
【図８】同じくプルタブオープナーの側断面図。
【図９】別例を説明するためのプルタブオープナーの平断面図。
【図１０】別例を説明するためのプルタブオープナーの平断面図。
【図１１】別例を説明するためのプルタブオープナーの平断面図。
【図１２】別例を説明するためのプルタブオープナーの平断面図。
【符号の説明】
【００７０】
１…プルタブオープナー、２…プルトップ缶、３…缶蓋、３ａ…上面、３ｂ…リップ部、４…プルタブ、１０…オープナー本体、１１…カバー、１３…内周壁、１３ｂ…小径内周壁、１４…段差面、１５…環状溝、２０…係合案内片、２１…係合始端、２２…係合終端、２３…傾斜面、２４…案内面、２５…爪、２６…位置決め用目印、２７…操作用目印、２８…エッジ、２９…飲み口、３０…操作ケース、３１…ボール収容凹部、３３…螺旋溝、Ｂ…ボール、Ｌ１，Ｌ２…中心軸、Ｓ…スコア、ＳＰ…スプリング、Ｚ１…一定幅領域、Ｚ２…幅広領域、θ１…角度。
【図１】
2010149905.tif 000003
【図２】
2010149905.tif 000004
【図３】
2010149905.tif 000005
【図４】
2010149905.tif 000006
【図５】
2010149905.tif 000007
【図６】
2010149905.tif 000008
【図７】
2010149905.tif 000009
【図８】
2010149905.tif 000010
【図９】
2010149905.tif 000011
【図１０】
2010149905.tif 000012
【図１１】
2010149905.tif 000013
【図１２】
2010149905.tif 000014